(57)【要約】【課題】記録機器側に新たな機能を追加することなく、記録開始の指示を行ってから記録開始までに遅延が発生した場合であっても、所望のコンテンツデータを記録機器に記録させることができるテレビジョン受像機を提供する。【解決手段】テレビジョン受像機１０は、記録開始の指示が入力された場合に、ＨＤＤレコーダ２０（記録機器）に対して記録開始を指示する第１指示信号を送信するとともにＦＩＦＯメモリに記録を開始させ、ＨＤＤレコーダから第１通知信号を受信した場合に、ＦＩＦＯメモリに記録されたコンテンツデータのＨＤＤレコーダへの送信を開始する。また、記録停止の指示が入力された場合に、記録停止の指示が入力された時点から遅延時間の経過後にＨＤＤレコーダに対して記録停止を指示する第２指示信号を送信し、コンテンツデータのＨＤＤレコーダへの送信を停止する。【選択図】図２
2010288197.tif 000002
【特許請求の範囲】
【請求項１】
コンテンツデータを受信する受信手段を備え、ＨＤＭＩケーブルを介して記録機器と接続されたテレビジョン受像機において、
ユーザによる記録開始の指示の入力および記録停止の指示の入力を受け付ける入力部と、
コンテンツデータを一時的に記録する一時記録部と、
前記入力部において記録開始の指示が入力された場合に、前記記録機器に対して記録開始を指示する第１指示信号を送信するとともに、前記一時記録部に前記受信手段により受信されたコンテンツデータの記録を開始させる第１制御手段と、
前記第１指示信号を送信してから、前記記録機器から記録開始可能な状態に移行した旨の第１通知信号を受信するまでの遅延時間を計測する計測手段と、
前記記録機器から前記第１通知信号を受信した場合に、前記一時記録部に記録されたコンテンツデータの前記記録機器への送信を開始する第２制御手段と、
前記入力部において記録停止の指示が入力された場合に、当該記録停止の指示が入力された時点から前記計測手段により計測された前記遅延時間の経過後に、前記記録機器に対して記録停止を指示する第２指示信号を送信する第３制御手段と、
前記第３制御手段により前記記録機器に対して前記第２指示信号を送信した場合、または、前記記録機器から記録停止を行った旨の第２通知信号を受信した場合に、前記一時記録部に記録されたコンテンツデータの前記記録機器への送信を停止する第４制御手段と、
を備えることを特徴とするテレビジョン受像機。
【請求項２】
少なくとも、前記入力部において記録開始の指示が入力された時点から前記入力部において記録停止の指示が入力される時点まで、前記受信手段により受信されるコンテンツデータに基づくコンテンツの出力を行う出力手段を備えることを特徴とする請求項１に記載のテレビジョン受像機。
【請求項３】
コンテンツデータを受信する受信手段を備えるテレビジョン受像機と、ＨＤＭＩケーブルを介して当該テレビジョン受像機と接続された記録機器と、を備えるコンテンツ記録システムにおいて、
前記テレビジョン受像機は、
ユーザによる記録開始の指示の入力および記録停止の指示の入力を受け付ける入力部と、
コンテンツデータを一時的に記録する一時記録部と、
前記入力部において記録開始の指示が入力された場合に、前記記録機器に対して記録開始を指示する第１指示信号を送信するとともに、前記一時記録部に前記受信手段により受信されたコンテンツデータの記録を開始させる第１制御手段と、
前記第１指示信号を送信してから、前記記録機器から記録開始可能な状態に移行した旨の第１通知信号を受信するまでの遅延時間を計測する計測手段と、
前記記録機器から前記第１通知信号を受信した場合に、前記一時記録部に記録されたコンテンツデータの前記記録機器への送信を開始する第２制御手段と、
前記入力部において記録停止の指示が入力された場合に、当該記録停止の指示が入力された時点から前記計測手段により計測された前記遅延時間の経過後に、前記記録機器に対して記録停止を指示する第２指示信号を送信する第３制御手段と、
前記第３制御手段により前記記録機器に対して前記第２指示信号を送信した場合、または、前記記録機器から記録停止を行った旨の第２通知信号を受信した場合に、前記一時記録部に記録されたコンテンツデータの前記記録機器への送信を停止する第４制御手段と、
少なくとも、前記入力部において記録開始の指示が入力された時点から前記入力部において記録停止の指示が入力される時点まで、前記受信手段により受信されるコンテンツデータに基づくコンテンツの出力を行う出力手段と、
を備え、
前記記録機器は、
前記テレビジョン受像機から前記第１指示信号を受信した場合に、記録開始可能な状態に移行するとともに、記録開始可能な状態に移行した後に、前記第１通知信号を前記テレビジョン受像機に送信する第１通知手段と、
前記テレビジョン受像機から送信されるコンテンツデータの記録を行う記録手段と、
前記テレビジョン受像機から前記第２指示信号を受信した場合に、前記記録手段によるコンテンツデータの記録を停止するとともに、前記第２通知信号を前記テレビジョン受像機に送信する第２通知手段と、
を備えることを特徴とするコンテンツ記録システム。
【発明の詳細な説明】
【技術分野】
【０００１】
本発明は、テレビジョン受像機及びコンテンツ記録システムに関する。
【背景技術】
【０００２】
近年、非圧縮のデジタル映像・音声信号を、１本のケーブルで伝送することができるＨＤＭＩ（High-Definition Multimedia Interface）規格が普及している。ＨＤＭＩ規格では、ＣＥＣ（Consumer Electronics Control）と呼ばれる機器間制御機能が規定されており、ＨＤＭＩケーブルにより接続された機器間でＣＥＣコマンドを双方向に送受信し合うことで、１台のリモコンの操作で、ＨＤＭＩケーブルで接続された機器の連携動作が実現されている。
【０００３】
ＣＥＣで実現可能な機能の一つに、ワンタッチレコード（One Touch Record）と呼ばれる機能がある。この機能は、例えば、テレビジョン受像機と録画機器とがＨＤＭＩケーブルにより接続されている場合に、ワンタッチレコード（One Touch Record）を指示する釦を操作するだけで、テレビジョン受像機で視聴中の番組を録画機器に録画させることができるというものである。
【０００４】
ところが、一般に、録画機器は完全スタンバイ状態から録画開始可能なレディー状態に移行するまで、数十秒〜１分間程度の時間を要する。したがって、ワンタッチレコード（One Touch Record）の実行に際して、録画機器が完全スタンバイ状態にある場合には、ワンタッチレコードを指示してから実際に録画を開始するまで遅延が発生し、遅延分のコンテンツデータを録画できないという問題が発生してしまう。
【０００５】
こうした録画開始時における遅延の問題を解決するため、例えば、録画を指示してから、テレビジョン受像機に接続された録画機器が録画可能な状態となるまでの間、録画番組をテレビジョン受像機側の一時記憶メモリに蓄積する技術が提案されている（例えば特許文献１参照）。
また、ディスク記録装置において、パワーオン信号が入力されると、符号化部やキャッシュメモリ部、ディスク記録部に記録準備の動作を開始させ、ディスク記録部に先駆けてキャッシュメモリ部が記録可能な状態になると、ディスク記録部が記録可能な状態になるまで、キャッシュメモリ部にデータを記録する技術が提案されている（例えば特許文献２参照）。
【０００６】
また、録画機器において、本記録を行う記録部が録画可能な状態となるまでの間、フレームメモリに映像信号を静止画で蓄積し、録画可能な状態となると、フレームメモリに蓄積した静止画の映像信号を、書き込み時よりも短い時間間隔で読み出して記録部に記録させ、フレームメモリに記録される映像信号と記憶部に記録される映像信号が一致すると、通常録画に移行する技術が開示されている（例えば特許文献３参照）。
さらに、受信したコンテンツデータを、常時記録用ＲＡＭに記録させ、録画開始が指示されると、常時記録用ＲＡＭへの記録を一時停止するとともに、本記録を行う記録部にコンテンツデータを記録させる。さらに、常時記録用ＲＡＭに記録されたコンテンツデータを、記録部に転送し、録画終了後に、記録部に直接記録されたコンテンツデータと、常時記録用ＲＡＭから転送されたコンテンツデータとを結合する技術が提案されている（例えば特許文献４参照）
【先行技術文献】
【特許文献】
【０００７】
【特許文献１】特開２００８−２２７９３８号公報
【特許文献２】特開２００４−１４７２００号公報
【特許文献３】特開平６−１０５２８１号公報
【特許文献４】国際公開番号  ＷＯ２００６／０９５８６７
【発明の概要】
【発明が解決しようとする課題】
【０００８】
しかしながら、上記特許文献１では、録画番組がテレビジョン受像機と録画機器との両方に分離された状態で蓄積されることとなる。そのため、再生時に、一時記憶メモリからの出力を、途中で録画機器からの出力に切り替える必要があり、適切なタイミングで出力を行ってスムーズな再生を実現するための制御が必要となる。また、特許文献１では、録画可能な状態に移行するまで遅延した分のコンテンツデータは録画機器側に記録されないため、例えば、録画機器に記録されたコンテンツデータだけを他の機器で再生する場合には、遅延分のコンテンツデータが欠けてしまうという問題があった。
また、特許文献２のディスク記録装置であっても、キャッシュメモリ部の準備動作が完了して記録可能な状態になるまでは記録を開始することができないため、依然として、録画開始時に遅延が発生して、遅延分のコンテンツデータが欠けるという問題を解決することはできない。
また、特許文献３の技術や特許文献４の技術では、記録装置に、フレームメモリに蓄積した画像データを高速で読み出して記録するための新たな機能や、記録部に直接記録されたコンテンツデータと、常時記録用ＲＡＭから転送されたコンテンツデータとを結合するための新たな機能を追加する必要があるため、コストの高騰を招くという問題があった。
【０００９】
本発明の課題は、記録機器側に新たな機能を追加することなく、記録開始の指示を行ってから記録開始までに遅延が発生した場合であっても、遅延分のコンテンツデータを含む所望のコンテンツデータを記録機器に記録させることができるテレビジョン受像機及びコンテンツ記録システムを提供することである。
【課題を解決するための手段】
【００１０】
上記課題を解決するため、請求項１に記載の発明は、
コンテンツデータを受信する受信手段を備え、ＨＤＭＩケーブルを介して記録機器と接続されたテレビジョン受像機において、
ユーザによる記録開始の指示および記録停止の指示の入力を受け付ける入力部と、
コンテンツデータを一時的に記録する一時記録部と、
前記入力部において記録開始の指示が入力された場合に、前記記録機器に対して記録開始を指示する第１指示信号を送信するとともに、前記一時記録部に前記受信手段により受信されたコンテンツデータの記録を開始させる第１制御手段と、
前記第１指示信号を送信してから、前記記録機器から記録開始可能な状態に移行した旨の第１通知信号を受信するまでの遅延時間を計測する計測手段と、
前記記録機器から前記第１通知信号を受信した場合に、前記一時記録部に記録されたコンテンツデータの前記記録機器への送信を開始する第２制御手段と、
前記入力部において記録停止の指示が入力された場合に、当該記録停止の指示が入力された時点から前記計測手段により計測された前記遅延時間の経過後に、前記記録機器に対して記録停止を指示する第２指示信号を送信する第３制御手段と、
前記第３制御手段により前記記録機器に対して前記第２指示信号を送信した場合、または、前記記録機器から記録停止を行った旨の第２通知信号を受信した場合に、前記一時記録部に記録されたコンテンツデータの前記記録機器への送信を停止する第４制御手段と、
を備えることを特徴とする。       
【００１１】
請求項２に記載の発明は、請求項１に記載のテレビジョン受像機において、
少なくとも、前記入力部において記録開始の指示が入力された時点から前記入力部において記録停止の指示が入力される時点まで、前記受信手段により受信されるコンテンツデータに基づくコンテンツの出力を行う出力手段を備えることを特徴とする。
【００１２】
請求項３に記載の発明は、
コンテンツデータを受信する受信手段を備えるテレビジョン受像機と、ＨＤＭＩケーブルを介して当該テレビジョン受像機と接続された記録機器と、を備えるコンテンツ記録システムにおいて、
前記テレビジョン受像機は、
ユーザによる記録開始の指示および記録停止の指示の入力を受け付ける入力部と、
コンテンツデータを一時的に記録する一時記録部と、
前記入力部において記録開始の指示が入力された場合に、前記記録機器に対して記録開始を指示する第１指示信号を送信するとともに、前記一時記録部に前記受信手段により受信されたコンテンツデータの記録を開始させる第１制御手段と、
前記第１指示信号を送信してから、前記記録機器から記録開始可能な状態に移行した旨の第１通知信号を受信するまでの遅延時間を計測する計測手段と、
前記記録機器から前記第１通知信号を受信した場合に、前記一時記録部に記録されたコンテンツデータの前記記録機器への送信を開始する第２制御手段と、
前記入力部において記録停止の指示が入力された場合に、当該記録停止の指示が入力された時点から前記計測手段により計測された前記遅延時間の経過後に、前記記録機器に対して記録停止を指示する第２指示信号を送信する第３制御手段と、
前記第３制御手段により前記記録機器に対して前記第２指示信号を送信した場合、または、前記記録機器から記録停止を行った旨の第２通知信号を受信した場合に、前記一時記録部に記録されたコンテンツデータの前記記録機器への送信を停止する第４制御手段と、
少なくとも、前記入力部において記録開始の指示が入力された時点から前記入力部において記録停止の指示が入力される時点まで、前記受信手段により受信されるコンテンツデータに基づくコンテンツの出力を行う出力手段と、
を備え、
前記記録機器は、
前記テレビジョン受像機から前記第１指示信号を受信した場合に、記録開始可能な状態に移行するとともに、記録開始可能な状態に移行した後に、前記第１通知信号を前記テレビジョン受像機に送信する第１通知手段と、
前記テレビジョン受像機から送信されるコンテンツデータの記録を行う記録手段と、
前記テレビジョン受像機から前記第２指示信号を受信した場合に、前記記録手段によるコンテンツデータの記録を停止するとともに、前記第２通知信号を前記テレビジョン受像機に送信する第２通知手段と、
を備えることを特徴とする。
【発明の効果】
【００１３】
本発明によれば、テレビジョン受像機及びコンテンツ記録システムにおいて、記録開始の指示を行ってから記録機器における記録開始までに遅延が発生した場合であっても、記録機器側に新たな機能を追加することなく、遅延分のコンテンツデータを含む所望のコンテンツデータを記録機器に記録させることができる。
【図面の簡単な説明】
【００１４】
【図１】本発明を適用した本実施形態のコンテンツ記録システムの全体構成を示す図である。
【図２】本実施形態のコンテンツ記録システムを構成するテレビジョン受像機およびＨＤＤレコーダの要部構成を示すブロック図である。
【図３】本実施形態のコンテンツ記録システムにおいて実行されるコンテンツ記録処理を示すフローチャートである。
【発明を実施するための形態】
【００１５】
以下、本発明に係る実施の形態について、図面を参照しながら説明する。なお、本発明の範囲は、以下の実施例及び図示例に限定されるものではない。
【００１６】
本実施形態のコンテンツ記録システム１００は、図１に示すように、テレビジョン受像機１０と、記録機器としてのＨＤＤ(Hard Disk Drive)レコーダ２０とが、ＨＤＭＩ（High-Definition Multimedia Interface）規格のＨＤＭＩケーブルＣ１を介して接続されてなる。テレビジョン受像機１０およびＨＤＤレコーダ２０は、共に、ＨＤＭＩ規格のＣＥＣ（Consumer Electronics Control）機能を備えている。
なお、記録機器はＨＤＤレコーダ２０に限られること無く、ＨＤＭＩ規格のＣＥＣに準拠したものである限り、任意の記録機器を用いることができる。例えば、ＢＤ（Blue-ray Disc）レコーダ、ＤＶＤ(Digital Versatile Disc)レコーダ、Ｄ−ＶＨＳ（Data Video Home System）レコーダ等を記録機器として用いても良い。
【００１７】
ＨＤＭＩケーブルＣ１には、映像データや音声データ等のコンテンツデータを伝送するためのＴＭＤＳ（Transition Minimized Differential Signaling）ラインが含まれ、ＨＤＤレコーダ２０から読み出されたコンテンツデータは、ＴＭＤＳライン経由でテレビジョン受像機１０に送信される。
また、ＨＤＭＩケーブルＣ１には、双方向通信が可能なＣＥＣラインが設けられており、このＣＥＣラインを介してＣＥＣコマンドを相互に送受信することで、テレビジョン受像機１０とＨＤＤレコーダ２０との間で、後述するワンタッチレコード（One Touch Record）を始めとする各種の連携動作を行うことができる。
【００１８】
さらに、テレビジョン受像機１０とＨＤＤレコーダ２０とは、ＩＥＥＥ１３９４ケーブル等のＡ／ＶケーブルＣ２と接続されている。このＡ／ＶケーブルＣ２は、後述するワンタッチレコード（One Touch Record）の実行に際して、テレビジョン受像機１０において受信した映像データや音声データ等のコンテンツデータを、テレビジョン受像機１０からＨＤＤレコーダ２０に送信するためのものである。
なお、Ａ／ＶケーブルＣ２は、ＩＥＥＥ１３９４ケーブルに限られることなく、その他任意のケーブルを用いることができる。例えば、ＨＤＤレコーダ２０にアナログ入力端子のみが備わる場合等には、アナログケーブルをＡ／ＶケーブルＣ２として使用しても良い。
【００１９】
（テレビジョン受像機）
まず、本実施形態のコンテンツ記録システム１００を構成するテレビジョン受像機１０について説明する。
本実施形態のテレビジョン受像機１０は、例えば、デジタルテレビジョン放送信号の受信を行うテレビジョン受像機１０であり、図１に示すように、ユーザが各種指示を入力するリモートコントローラ（以下、「リモコン」と称する）１と、リモコン１により遠隔操作される装置本体２と、を備えて構成される。
【００２０】
リモコン１は、ユーザが装置本体２に対して各種指示を入力するための複数の釦を備える。例えば、リモコン１には、ワンタッチレコード（One Touch Record）の開始を指示するためのワンタッチレコード釦と、ワンタッチレコード（One Touch Record）等の記録の停止を指示するための記録停止釦と、が設けられており、本発明の入力部を構成する。
また、リモコン１には、その他、電源釦、番組表表示釦、数字釦、入力切換釦、音声切換釦、戻る釦、上下左右の釦から成るカーソル釦、決定釦、チャンネルアップ／ダウン釦、ボリュームアップ／ダウン釦（何れも図示せず）等が備わる。
これらの釦の各々には予め識別情報が割り当てられ、所定の記憶領域に記憶されている。そして、ユーザにより釦の操作が行われると、操作された釦の識別情報が読み出されて、読み出された識別情報に対応するリモコン信号が生成され、生成されたリモコン信号が図示しない送信部から送信されるようになっている。
【００２１】
装置本体２は、図２に示すように、リモコン信号受光部３、ＨＤＭＩインターフェース４、アンテナ５、受信手段としてのチューナ６、復調部７、出力手段としてのデコーダ部８・映像処理部９・音声処理部１１・表示部１２・音声出力部１３、一時記録部としてのＦＩＦＯメモリ１４、Ａ／Ｖインターフェース１５、制御部１６等を備えている。
【００２２】
リモコン信号受光部３は、フォトダイオード、ＳＵＢＣＰＵ、増幅部、復調部、デコーダ（いずれも図示せず）等を備えて構成されている。ＳＵＢＣＰＵは、リモコン１から送信されたリモコン信号を、装置本体２の前面パネルに設けられたフォトダイオードにおいて受信すると、受信したリモコン信号を増幅部により増幅させ、復調部において復調させ、デコーダにより波形整形、誤り訂正等の各種処理を行わせた後に、制御部１６に出力する。制御部１６では、入力されたリモコン信号から識別情報を取得し、取得した識別情報に基づいて操作された釦の判別を行う。
【００２３】
ＨＤＭＩインターフェース４は、ＨＤＭＩ規格に準拠したインターフェースであり、ＨＤＭＩケーブルＣ１により接続されたＨＤＤレコーダ２０との間で、映像・音声データ等のコンテンツデータや、ＣＥＣコマンド等の制御信号の送受信を行う。
【００２４】
アンテナ５は、屋外において所定の方角に向けて配置され、放送局側から発信される高周波のデジタル放送信号を受信する。
【００２５】
チューナ６は、制御部１６からの選局指示にしたがって、アンテナ５等により入力された高周波信号のデジタル放送信号の中から特定周波数帯の信号を抽出し、中間周波信号（IF信号）に変換した後、ＡＤ変換等を行い、復調部７に出力する。
【００２６】
復調部７は、例えば、制御部１６からの制御に基づいて、チューナ６において選局されたチャンネルの信号に対してデジタル復調や誤り訂正等の処理を実行し、トランスポートストリーム（ＴＳ：Transport Stream）を生成して、デコーダ部８又はＦＩＦＯメモリ１４に出力する。
具体的には、通常のテレビジョン放送の視聴中に、復調部７から出力されたコンテンツデータ（ＴＳ）は、デコーダ部８に供給される。一方、テレビジョン放送の視聴中にワンタッチレコード（One Touch Record）が実行される場合、復調部７から出力されたコンテンツデータ（ＴＳ）は、デコーダ部８とＦＩＦＯメモリ１４との両方にそれぞれ供給される。
【００２７】
デコーダ部８は、分離部（Demultiplexer）８１、ビデオデコーダ８２、オーディオデコーダ８３、データデコーダ８４等を備えて構成されている。
【００２８】
分離部８１は、復調部７から入力されるＴＳを、ビデオストリーム、オーディオストリーム、ＰＳＩ／ＳＩ等の複数のストリームに分離する。そして、ＰＳＩに基づいて必要なＴＳパケットを取得し、ＭＰＥＧ２（Moving Picture Experts Group 2）規格下のビデオストリームをビデオデコーダ８２に、オーディオストリームをオーディオデコーダ８３に出力する。さらに、分離部８１は、番組情報（ＳＩ）等のデータをデータデコーダ８４に出力する。
【００２９】
ビデオデコーダ８２は、分離部８１から入力されるビデオストリームに可変長復号化、逆量子化、逆ＤＣＴ（Discrete Cosine Transform）、動き補正等の各種処理を行うことで、ビデオストリームをＤＴＳ（Decoding Time Stamp）に応じたタイミングで復号し、映像データを生成して映像処理部９に出力する。
オーディオデコーダ８３は、分離部８１から入力されるオーディオストリームを復号し、音声データを生成して音声処理部１１に出力する。
データデコーダ８４は、分離部８１から入力されるデータを復号し、必要な情報を取得して制御部１６や図示しないＯＳＤ回路に供給する。
【００３０】
映像処理部９は、ビデオデコーダ８２から入力された映像データに対して各種映像処理を施して映像信号を生成し、表示部１２に出力する。
音声処理部１１は、オーディオデコーダ８３から入力された音声データに対して各種音声処理を施して音声信号を生成し、音声出力部１３に出力する。
【００３１】
表示部１２は、ＬＣＤ（Liquid Crystal Display）、ＰＤＰ（Plasma Display Panel）、有機ＥＬ（Electro Luminescence）ディスプレイ等のディスプレイ（図示省略）を備えて構成され、映像処理部９から入力された映像信号に基づく映像をディスプレイに表示させる。
音声出力部１３は、スピーカ（図示省略）等を備えて構成され、音声処理部１１から入力された音声信号に基づく音声を増幅して、スピーカから出力する。
【００３２】
ＦＩＦＯメモリ１４は、ワンタッチレコード（One Touch Record）の実行時に、復調部７から入力されるコンテンツデータを、ＦＩＦＯ（First In, First Out）形式で記録する。具体的には、ＦＩＦＯメモリ１４は、ユーザによりリモコン１のワンタッチレコード釦が操作されて、ワンタッチレコード（One Touch Record）の開始の指示が入力された場合に、制御部１６による制御にしたがって、復調部７から入力されるコンテンツデータを一時的に記録する。ＦＩＦＯメモリ１４に記録されたコンテンツデータは、その後、ＨＤＤレコーダ２０が記録開始可能な状態（レディー状態）に移行した後に順次読み出され、Ａ／Ｖインターフェース１５を介してＨＤＤレコーダ２０に出力されることとなる。
【００３３】
また、このＦＩＦＯメモリ１４は、リングバッファ構造を有しており、記録容量が最大に達すると、先頭に戻って上書き記録する。そして、ＦＩＦＯメモリ１４は、少なくとも、ワンタッチレコード（One Touch Record）の開始時に、テレビジョン受像機１０からＨＤＤレコーダ２０に録画開始を指示する＜Record On＞コマンド（第１指示信号）を送信してから、このコマンドに応じてＨＤＤレコーダ２０から送信された＜Record Status＞コマンド（第１通知信号）を受信するまでの間に、テレビジョン受像機１０において受信されるコンテンツデータを記録可能なだけの容量を有している。
【００３４】
Ａ／Ｖインターフェース１５は、例えば、ＩＥＥＥ１３９４等に準拠したインターフェースであり、ワンタッチレコード（One Touch Record）の実行において、ＦＩＦＯメモリ１４から順次読み出されたコンテンツデータを、ＩＥＥＥ１３９４ケーブル等のＡ／ＶケーブルＣ２を介して、ＨＤＤレコーダ２０に送信する。なお、Ａ／ＶケーブルＣ２としてアナログケーブルを用いる場合、Ａ／Ｖインターフェース１５では、コンテンツデータをアナログ信号に変換する処理が必要となる。
【００３５】
制御部１６は、ＣＰＵ（Central Processing Unit）１６１、ＲＡＭ（Random Access Memory）１６２、計時部１６３、計測手段としての計測部１６４、ＲＯＭ（Read Only Memory）１６５等を備えて構成され、テレビジョン受像機１０の各部を制御する。
【００３６】
ＣＰＵ１６１は、各部から入力された入力信号に応じて、ＲＯＭ１６５に格納された処理プログラム等を読み出してＲＡＭ１６２に展開して実行し、装置本体２の各部に出力信号を出力することにより、テレビジョン受像機１０全体の制御を行う。
【００３７】
ＲＡＭ１６２は、ＣＰＵ１６１により実行される各種プログラムを展開するプログラム格納領域や、入力データやこれらの処理プログラムが実行される際に生じる処理結果等を格納するデータ格納領域を備え、ＣＰＵ１６１のワークエリアとして用いられる。
【００３８】
計時部１６３は、計時処理を行ってテレビジョン受像機１０全体の基準時刻を発生する。
【００３９】
計測部１６４は、ワンタッチレコード（One Touch Record）の実行に際して、テレビジョン受像機１０からＨＤＤレコーダ２０に録画開始を指示する＜Record On＞コマンド（第１指示信号）を送信してから、このコマンドに応じてＨＤＤレコーダ２０から送信された＜Record Status＞コマンド（第１通知信号）を受信するまでの遅延時間T delayを計測する。計測部１６４において計測された遅延時間T delayは、ＲＡＭ１６２等の所定の記憶領域に記憶される。
【００４０】
ＲＯＭ１６５は、処理プログラムやデータ等を予め記憶しており、例えば、第１制御プログラム１６５ａ、計測プログラム１６５ｂ、第２制御プログラム１６５ｃ、第３制御プログラム１６５ｄ、第４制御プログラム１６５ｅ、出力プログラム１６５ｆ等が格納されている。
【００４１】
第１制御プログラム１６５ａは、リモコン１においてワンタッチレコード釦が操作されて、ワンタッチレコード（記録）開始の指示が入力された場合に、ＨＤＤレコーダ２０に対して記録開始を指示する＜Record On＞コマンド（第１指示信号）を送信するとともに、ＦＩＦＯメモリ１４にチューナ６により受信されたコンテンツデータの記録を開始させる機能をＣＰＵ１６１に実現させるためのプログラムである。本実施形態では、かかる第１制御プログラム１６５ａ、ＣＰＵ１６１により、本発明の第１制御手段が構成される。
なお、＜Record On＞コマンド（第１指示信号）には、ＨＤＤレコーダ２０に対して、Ａ／Ｖインターフェース２２を介して入力されるコンテンツデータを記録するように指示するコマンドが含まれる。より具体的には、コンテンツデータの送信に使用するプラグ（Plug n、例えばn＝１）を指定するコマンドが＜Record On＞コマンドに含まれる。
【００４２】
計測プログラム１６５ｂは、ＨＤＤレコーダ２０に対して＜Record On＞コマンド（第１指示信号）を送信してから、ＨＤＤレコーダ２０から、記録開始可能な状態に移行した旨の＜Record Status＞コマンド（第１通知信号）を受信するまでの遅延時間T delayを計測する機能をＣＰＵ１６１に実現させるためのプログラムである。本実施形態では、かかる計測プログラム１６５ｂ、ＣＰＵ１６１、計測部１６４により、本発明の計測手段が構成される。
【００４３】
第２制御プログラム１６５ｃは、ＨＤＤレコーダ２０から＜Record Status＞コマンド（第１通知信号）を受信した場合に、ＦＩＦＯメモリ１４に記録されたコンテンツデータのＨＤＤレコーダ２０への送信を開始する機能をＣＰＵ１６１に実現させるためのプログラムである。本実施形態では、かかる第２制御プログラム１６５ｃ、ＣＰＵ１６１により、本発明の第２制御手段が構成される。
【００４４】
第３制御プログラム１６５ｄは、リモコン１において記録停止釦が操作されて、ワンタッチレコード（記録）停止の指示が入力された場合に、記録停止の指示が入力された時点から計測部１６４により計測された遅延時間T delayの経過後に、ＨＤＤレコーダ２０に対して記録停止を指示する＜Record Off＞コマンド（第２指示信号）を送信する機能をＣＰＵ１６１に実現させるためのプログラムである。本実施形態では、かかる第３制御プログラム１６５ｄ、ＣＰＵ１６１により、本発明の第３制御手段が構成される。
【００４５】
第４制御プログラム１６５ｅは、上記第３制御プログラム１６５ｄの実行によりＨＤＤレコーダ２０に対して＜Record Off＞コマンド（第２指示信号）を送信した場合、または、ＨＤＤレコーダ２０から記録停止を行った旨の＜Record Status＞コマンド（第２通知信号）を受信した場合に、ＦＩＦＯメモリ１４に記録されたコンテンツデータのＨＤＤレコーダ２０への送信を停止する機能をＣＰＵ１６１に実現させるためのプログラムである。本実施形態では、かかる第４制御プログラム１６５ｅ、ＣＰＵ１６１により、本発明の第４制御手段が構成される。
【００４６】
出力プログラム１６５ｆは、少なくともリモコン１において記録開始の指示が入力された時点から記録停止の指示が入力される時点まで、チューナ６により受信されるコンテンツデータのコンテンツの出力を行う機能をＣＰＵ１６１に実現させるためのプログラムである。本実施形態では、かかる出力プログラム１６５ｆ、ＣＰＵ１６１、デコーダ部８、映像処理部９、音声処理部１１、表示部１２、音声出力部１３により、本発明の出力手段が構成される。
【００４７】
（ＨＤＤレコーダ）
次に、本実施形態のコンテンツ記録システム１００を構成するＨＤＤレコーダ２０について説明する。
ＨＤＤレコーダ２０は、図２に示すように、ＨＤＭＩインターフェース２１、Ａ／Ｖインターフェース２２、受信部２３、記録制御部２４、記録部２５、制御部２６等を備えて構成され、ＨＤＭＩケーブルＣ１及びＡ／ＶケーブルＣ２を介して、テレビジョン受像機１０と接続されている。
【００４８】
ＨＤＭＩインターフェース２１は、ＨＤＭＩ規格に準拠したインターフェースであり、テレビジョン受像機１０との間で、ＨＤＭＩケーブルＣ１を介して、映像・音声データ等のコンテンツデータや、ＣＥＣコマンド等の制御信号の送受信を仲介する。
【００４９】
Ａ／Ｖインターフェース２２は、例えば、ＩＥＥＥ１３９４等に準拠したインターフェースであり、ワンタッチレコード（One Touch Record）の実行において、テレビジョン受像機１０から、ＩＥＥＥ１３９４ケーブル等のＡ／ＶケーブルＣ２を介して送信されるコンテンツデータを受信する。
【００５０】
受信部２３は、例えば、アンテナやチューナ等から構成され、放送局側から発信される高周波のデジタル放送信号の中から特定周波数帯の信号を抽出し、中間周波信号（IF信号）に変換した後、ＡＤ変換等を行って復調部７に出力する。
なお、ＨＤＤレコーダ２０において受信部２３は必ずしも必要ではなく、受信部２３を備えない構成としても良い。
【００５１】
記録制御部２４は、入力されるコンテンツデータを記録部２５において磁気ディスクに書き込み可能なファイル形式に変換するとともに、制御部２６からの制御にしたがって、記録部２５に対するデータの読み出し／書き込み等を制御する。
【００５２】
記録部２５は、図示は省略するが、内蔵された磁気ディスクと、磁気ディスクに対するデータの記録或いは磁気ディスクに記録されたデータの読み出しを行う磁気ヘッドと、磁気ディスクを回転駆動させるスピンドルモータと、磁気ヘッドを磁気ディスクの半径方向に移動させるためのアクチュエータと、等を備えて構成され、磁気ヘッドと磁気ディスクとの間には、電流を供給することにより磁界を発生する微小な隙間が設けられている。そして、当該磁気ディスクを高速に回転させ、アクチュエータにより磁気ヘッドを磁気ディスク上に移動させてデータの読み書きを行う。
【００５３】
制御部２６は、ＣＰＵ（Central Processing Unit）２６１、ＲＡＭ（Random Access Memory）２６２、ＲＯＭ（Read Only Memory）２６３（何れも図示せず）等を備えて構成され、ＨＤＤレコーダ２０の各部を制御する。
【００５４】
ＣＰＵ２６１は、各部から入力された入力信号に応じて、ＲＯＭ２６３に格納された処理プログラム等を読み出してＲＡＭ２６２に展開して実行し、装置本体２の各部に出力信号を出力することにより、ＨＤＤレコーダ２０全体の制御を行う。
【００５５】
ＲＡＭ２６２は、ＣＰＵ２６１により実行される各種プログラムを展開するプログラム格納領域や、入力データやこれらの処理プログラムが実行される際に生じる処理結果等を格納するデータ格納領域を備え、ＣＰＵ２６１のワークエリアとして用いられる。
【００５６】
ＲＯＭ２６３は、処理プログラムやデータ等を予め記憶しており、例えば、第１通知プログラム２６３ａ、記録プログラム２６３ｂ、第２通知プログラム２６３ｃ等が格納されている。
【００５７】
第１通知プログラム２６３ａは、ＣＰＵ２６１に、テレビジョン受像機１０から記録開始を指示する＜Record On＞コマンド（第１指示信号）を受信した場合に、記録開始可能な状態に移行するとともに、記録開始可能な状態に移行した後に、記録開始可能な状態に移行した旨の＜Record Status＞コマンド（第１通知信号）を、ＨＤＭＩケーブルＣ１を介してテレビジョン受像機１０に送信する。本実施形態では、かかる第１通知プログラム２６３ａ、ＣＰＵ２６１により、本発明の第１通知手段が構成される。
【００５８】
記録プログラム２６３ｂは、ＣＰＵ２６１に、テレビジョン受像機１０から送信されるコンテンツデータを記録部２５に記録する機能を実現させるためのプログラムである。本実施形態では、かかる記録プログラム２６３ｂ、ＣＰＵ２６１、記録制御部２４、記録部２５により、本発明の記録手段が構成される。
【００５９】
第２通知プログラム２６３ｃは、ＣＰＵ２６１に、テレビジョン受像機１０から記録停止を指示する＜Record Off＞コマンド（第２指示信号）を受信した場合に、記録部２５によるコンテンツデータの記録を停止するとともに、記録停止を行った旨の＜Record Status＞コマンド（第２通知信号）を、ＨＤＭＩケーブルＣ１を介してテレビジョン受像機１０に送信する機能を実現させるためのプログラムである。本実施形態では、かかる第２通知プログラム２６３ｃ、ＣＰＵ２６１により、本発明の第２通知手段が構成される。
【００６０】
（コンテンツ記録処理）
次に、本実施形態のコンテンツ記録システム１００において、テレビジョン受像機１０とＨＤＤレコーダ２０との間で実行されるコンテンツ記録処理について、図３のフローチャートを参照しながら説明する。
【００６１】
まず、テレビジョン受像機１０では、チューナ６により受信されたコンテンツデータに基づくテレビジョン放送の視聴が行われている。ユーザは、テレビジョン放送の視聴中に、ＨＤＤレコーダ２０に記録を開始したい任意の箇所で、リモコン１のワンタッチレコード釦を操作し、ワンタッチレコードの開始を指示する。
【００６２】
リモコン１のワンタッチレコード釦が操作されると（ステップＳ１）、テレビジョン受像機１０のＣＰＵ１６１は、ワンタッチレコード（記録）開始の指示が入力されたと判断し、チューナ６により受信されたコンテンツデータをＦＩＦＯメモリ１４に出力して記録を開始する（ステップＳ２）。また、テレビジョン受像機１０のＣＰＵ１６１は、ＦＩＦＯメモリ１４への記録を開始する一方で、コンテンツデータの記録開始を指示する＜Record On＞コマンド（第１指示信号）を、ＨＤＭＩケーブルＣ１を介してＨＤＤレコーダ２０に送信する（ステップＳ３）。このとき、コンテンツデータの送信に使用するプラグ（Plug n、例えばn＝１）も併せて指定する。
【００６３】
また、テレビジョン受像機１０のＣＰＵ１６１は、＜Record On＞コマンド（第１指示信号）を送信した時刻を一時的に記憶し、計測部１６４において遅延時間T delayの計測を開始する。さらに、Ａ／Ｖインターフェース１５を出力停止(Pause)とした状態で、Ａ／Ｖインターフェース１５へのコンテンツデータの出力を開始する（ステップＳ４）。
なお、テレビジョン受像機１０では、ＦＩＦＯメモリ１４への記録が行われる一方で、引き続き、テレビジョン放送の視聴（リアルタイム視聴）も行われている。
【００６４】
一方、ＨＤＤレコーダ２０のＣＰＵ２６１は、テレビジョン受像機１０からＨＤＭＩケーブルＣ１を介して送信された＜Record On＞コマンド（第１指示信号）を、ＨＤＭＩインターフェース２１において受信すると、記録開始可能な状態（レディー状態）への移行を開始する。
ここで、＜Record On＞コマンド（第１指示信号）を受信したタイミングで、ＨＤＤレコーダ２０が完全スタンバイ状態にある場合、ＨＤＤレコーダ２０は、まず、完全スタンバイ状態から電源オン状態に遷移を開始する（ステップＳ５）。そして、電源オン状態に移行後、テレビジョン受像機１０により指定されたプラグ（Plug n、例えばn＝１）に入力切り換えを行い（ステップＳ６）、さらに、記録部２５における記録準備等を行って、記録開始可能な状態への移行が完了する。
さらに、記録開始可能な状態（レディー状態）に移行した後に、ＨＤＤレコーダ２０のＣＰＵ２６１は、記録開始可能な状態（レディー状態）に移行した旨の＜Record Status＞コマンド（第１通知信号）を、ＨＤＭＩケーブルＣ１を介してテレビジョン受像機１０に送信する（ステップＳ７）。
【００６５】
そして、テレビジョン受像機１０のＣＰＵ１６１は、ＨＤＤレコーダ２０からＨＤＭＩケーブルＣ１を介して送信された＜Record Status＞コマンド（第１通知信号）を、ＨＤＭＩインターフェース４において受信すると、計測部１６４の値を参照して、ＨＤＤレコーダ２０に対して＜Record On＞コマンド（第１指示信号）を送信してから、ＨＤＤレコーダ２０から＜Record Status＞コマンド（第１通知信号）を受信するまでの遅延時間T delayを算出する（ステップＳ８）。
さらに、テレビジョン受像機１０のＣＰＵ１６１は、Ａ／Ｖインターフェース１５の出力停止（Pause）を解除し、Ａ／ＶケーブルＣ２を介して、ＨＤＤレコーダ２０に対するコンテンツデータの出力を開始する（ステップＳ９）。
すなわち、テレビジョン受像機１０において受信したコンテンツデータは、テレビジョン受像機１０におけるリアルタイムでの視聴時刻よりも、遅延時間T delay分だけ遅れてＨＤＤレコーダ２０に送信されることとなる。
【００６６】
すると、ＨＤＤレコーダ２０では、テレビジョン受像機１０からＡ／ＶケーブルＣ２を介して受信したコンテンツデータを、記録制御部２４を介して記録部２５に出力し、記録部２５においてコンテンツデータの磁気ディスクへの記録を開始する（ステップＳ１０）。
【００６７】
次に、ユーザは、ＨＤＤレコーダ２０への記録を停止したい任意の箇所で、リモコン１の記録停止釦を操作し、ワンタッチレコードの停止の指示を入力する。
【００６８】
リモコン１においてワンタッチレコード停止の操作が行われると（ステップＳ１１）、テレビジョン受像機１０のＣＰＵ１６１は、ワンタッチレコード停止の操作が行われた時刻である停止操作時刻を記憶し（ステップＳ１２）、ＦＩＦＯメモリ１４へのコンテンツデータの記録を停止して、停止操作時刻から遅延時間T delayが経過するのを待つ。
そして、テレビジョン受像機１０のＣＰＵ１６１は、停止操作時刻から遅延時間T delayが経過したと判断すると（ステップＳ１３）、コンテンツデータの記録停止を指示する＜Record Off＞コマンド（第２指示信号）を、ＨＤＭＩケーブルＣ１を介してＨＤＤレコーダ２０に送信する（ステップＳ１４）とともに、ＨＤＤレコーダ２０へのコンテンツデータの出力を停止し（ステップＳ１５）、本処理を終了する。
すなわち、ＨＤＤレコーダ２０へのコンテンツデータの送信停止は、ワンタッチレコードの停止の指示が入力された時点よりも遅延時間T delay分だけ遅れて実行されることとなる。
【００６９】
一方、ＨＤＤレコーダ２０のＣＰＵ２６１は、テレビジョン受像機１０からＨＤＭＩケーブルＣ１を介して送信された＜Record Off＞コマンド（第２指示信号）を、ＨＤＭＩインターフェース２１において受信すると、記録部２５におけるコンテンツデータの記録を停止する（ステップＳ１６）。
そして、コンテンツデータの記録停止を行った旨の＜Record Status＞コマンド（第２通知信号）を、ＨＤＭＩケーブルＣ１を介してテレビジョン受像機１０に送信し（ステップＳ１７）、自動的に電源オフ状態に遷移して（ステップＳ１８）、本処理を終了する。
その後、テレビジョン受像機１０では、引き続き、テレビジョン放送の視聴が行われることとなる。
【００７０】
これにより、テレビジョン受像機１０において、テレビジョン放送を視聴中のユーザが、画面を見ながら任意の箇所でワンタッチレコード釦の操作と記録停止釦の操作とを行うと、ワンタッチレコード釦が操作された時点から記録停止釦が操作される時点までの間に受信されたコンテンツデータが、テレビジョン受像機１０から、リアルタイムでの視聴時刻よりも遅延時間T delay分だけ遅れてＨＤＤレコーダ２０に送信され、ＨＤＤレコーダ２０において記録されることとなる。
【００７１】
以上説明した本実施形態のコンテンツ記録システム１００によれば、テレビジョン受像機１０において、ユーザによる記録開始の指示および記録停止の指示の入力を受け付けるリモコン１（入力部）と、コンテンツデータを一時的に記録するＦＩＦＯメモリ１４（一時記録部）と、が備わり、第１制御手段（第１制御プログラム１６５ａ、ＣＰＵ１６１）により、リモコン１（入力部）において記録開始の指示が入力された場合に、ＨＤＤレコーダ２０（記録機器）に対して記録開始を指示する＜Record On＞コマンド（第１指示信号）が送信されるとともに、ＦＩＦＯメモリ１４（一時記録部）にチューナ６（受信手段）により受信されたコンテンツデータの記録が開始される。また、計測手段（計測プログラム１６５ｂ、ＣＰＵ１６１、計測部１６４）により、＜Record On＞コマンド（第１指示信号）を送信してから、ＨＤＤレコーダ２０（記録機器）から記録開始可能な状態に移行した旨の＜Record Status＞コマンド（第１通知信号）を受信するまでの遅延時間T delayが計測され、第２制御手段（第２制御プログラム１６５ｃ、ＣＰＵ１６１）により、ＨＤＤレコーダ２０（記録機器）から＜Record Status＞コマンド（第１通知信号）を受信した場合に、ＦＩＦＯメモリ１４（一時記録部）に記録されたコンテンツデータのＨＤＤレコーダ２０（記録機器）への送信が開始される。また、第３制御手段（第３制御プログラム１６５ｄ、ＣＰＵ１６１）により、リモコン１（入力部）において記録停止の指示が入力された場合に、当該記録停止の指示が入力された時点から計測手段（計測プログラム１６５ｂ、ＣＰＵ１６１、計測部１６４）により計測された遅延時間T delayの経過後に、ＨＤＤレコーダ２０（記録機器）に対して記録停止を指示する＜Record Off＞コマンド（第２指示信号）が送信され、第４制御手段（第４制御プログラム１６５ｅ、ＣＰＵ１６１）により、第３制御手段によりＨＤＤレコーダ２０（記録機器）に対して＜Record Off＞コマンド（第２指示信号）を送信した場合、または、ＨＤＤレコーダ２０（記録機器）から記録停止を行った旨の＜Record Status＞コマンド（第２通知信号）を受信した場合に、ＦＩＦＯメモリ（一時記録部）に記録されたコンテンツデータのＨＤＤレコーダ２０（記録機器）への送信が停止される。さらに、出力手段（出力プログラム１６５ｆ、ＣＰＵ１６１、デコーダ部８、映像処理部９、音声処理部１１、表示部１２、音声出力部１３）により、少なくとも、リモコン１（入力部）において記録開始の指示が入力された時点からリモコン１（入力部）において記録停止の指示が入力される時点まで、チューナ６（受信手段）により受信されるコンテンツデータに基づくコンテンツの出力が行われる。
また、ＨＤＤレコーダ２０（記録機器）において、第１通知手段（第１通知プログラム２６３ａ、ＣＰＵ２６１）により、テレビジョン受像機１０から＜Record On＞コマンド（第１指示信号）を受信した場合に、記録開始可能な状態に移行されるとともに、記録開始可能な状態に移行した後に、記録開始可能な状態に移行した旨の＜Record Status＞コマンド（第１通知信号）がテレビジョン受像機１０に送信され、記録手段（記録プログラム２６３ｂ、ＣＰＵ２６１、記録制御部２４、記録部２５）により、テレビジョン受像機１０から送信されるコンテンツデータの記録が行われ、第２通知手段（第２通知プログラム２６３ｃ、ＣＰＵ２６１）により、テレビジョン受像機１０から＜Record Off＞コマンド（第２指示信号）を受信した場合に、記録手段（記録プログラム２６３ｂ、ＣＰＵ２６１、記録制御部２４、記録部２５）によるコンテンツデータの記録を停止するとともに、記録停止を行った旨の＜Record Status＞コマンド（第２通知信号）がテレビジョン受像機１０に送信される。
【００７２】
すなわち、ユーザが、入力部を用いて、任意の箇所で記録開始の指示と記録停止の指示とを入力すると、記録開始の指示が入力された時点から記録停止の指示が入力される時点までの間にテレビジョン受像機の受信手段において受信されたコンテンツデータが、テレビジョン受像機におけるリアルタイムでの視聴時刻よりも遅延時間T delay分だけ遅れて記録機器に送信されることとなる。
したがって、ワンタッチレコード（One Touch Record）の開始を指示した時点で、記録機器が完全スタンバイ状態にあり、記録開始の指示を入力してから記録機器が記録可能な状態に移行するまで遅延が生じた場合であっても、記録開始の指示を入力した時点から記録停止の指示を入力する時点までのコンテンツデータを、記録機器に記録させることができる。これにより、記録機器においてコンテンツデータの高速読み出しやコンテンツデータの結合等の処理を行うための新たな構成を追加することなく、記録開始の指示を行ってから記録開始までに遅延が発生した場合であっても、記録開始の指示が入力された時点から記録停止の指示が入力される時点までの所望のコンテンツデータを記録機器に記録させることができる。
【００７３】
また、記録機器には、テレビジョン受像機からＡＶケーブルを介して送信されるコンテンツデータが記録されるため、ワンタッチレコード（One Touch Record）の実行に際して、記録機器側のチューナ等でコンテンツデータを受信する必要がなく、記録機器やコンテンツ記録システム全体の省電力化を図ることができる。
【００７４】
なお、本発明の範囲は上記実施形態に限られることなく、本発明の趣旨を逸脱しない範囲において種々の改良並びに設計の変更を行っても良い。
【００７５】
例えば、記録機器が、記録停止を行った旨の＜Record Status＞コマンド（第２通知信号）をテレビジョン受像機に対して送信した後に、自動的に電源オフ状態に移行する処理の有無は任意であり、記録機器が記録停止後も電源オン状態のまま維持される構成としても良い。また、記録機器が、記録停止後に自動的に電源オフ状態に移行する処理は、記録開始の指示が入力された時に記録機器が完全スタンバイ状態にあった場合に限って実行されるように構成することが可能である。
【００７６】
また、上記実施形態では、テレビジョン受像機が、記録機器に対して記録停止を指示する＜Record Off＞コマンド（第２指示信号）を送信したタイミングで、記録機器へのコンテンツデータの出力を停止する場合について説明したが、記録機器から記録停止を行った旨の＜Record Status＞コマンド（第２通知信号）を受信したタイミングで、コンテンツデータの出力を停止することとしても良い。
また、記録機器が、記録停止を行った旨の＜Record Status＞コマンド（第２通知信号）をテレビジョン受像機に対して送信する処理の有無も任意であり、＜Record Status＞コマンド（第２通知信号）の送信を行わないように構成することも可能である。
【００７７】
さらに、上記実施形態では、記録開始の指示が入力された時に、記録機器が完全スタンバイ状態にある場合について説明したが、本発明は、記録開始の指示が入力された時に記録機器が電源オン状態にある場合にも適用することができる。
【符号の説明】
【００７８】
１００    コンテンツ記録システム
１０      テレビジョン受像機
１        リモコン（入力部）
６        チューナ（受信手段）
８        デコーダ部（出力手段）
９        映像処理部（出力手段）
１１      音声処理部（出力手段）
１２      表示部（出力手段）
１３      音声出力部（出力手段）
１４      ＦＩＦＯメモリ（一時記録部）
１６１    ＣＰＵ（第１制御手段、計測手段、第２制御手段、第３制御手段、第４制御手段、出力手段）
１６４    計測部
１６５ａ  第１制御プログラム（第１制御手段）
１６５ｂ  計測プログラム（計測手段）
１６５ｃ  第２制御プログラム（第２制御手段）
１６５ｄ  第３制御プログラム（第３制御手段）
１６５ｅ  第４制御プログラム（第４制御手段）
１６５ｆ  出力プログラム（出力手段）
２０      ＨＤＤレコーダ（記録機器）
２５      記録部（記録手段）
２６１    ＣＰＵ（第１通知手段、記録手段、第２通知手段）
２６３ａ  第１通知プログラム（第１通知手段）
２６３ｂ  記録プログラム（記録手段）
２６３ｃ  第２通知プログラム（第２通知手段）
【図１】
2010288197.tif 000003
【図２】
2010288197.tif 000004
【図３】
2010288197.tif 000005